(57)【要約】      （修正有）【課題】運動及びリラクゼーションを行うに当たり、バランスのとれた水中エクササイズが実施可能に秩序良くレイアウトされたプール施設であって、運動を行う際の水温を不感温度に設定し、リラクゼーションを行う際の水温を前記不感温度より高く設定したアクアウェルラウンドステーションを提供する。【解決手段】アクアウェルラウンドステーション１は、所望の水中エクササイズを実施する為のプール施設であって、運動エリア６、７を備え、水温が不感温度に設定された第一のプール槽２と、リラクゼーションエリア３ａ、３ｂ、３ｃを備え、水温が前記不感温度より高く設定された第二のプール槽３とが併設されたことを特徴とする。【選択図】図１
0003131753.tif 000002
【実用新案登録請求の範囲】
【請求項１】
所望の水中エクササイズを実施する為のプール施設であって、
運動エリアを備え、水温が不感温度に設定された第一のプール槽と、
リラクゼーションエリアを備え、水温が前記不感温度より高く設定された第二のプール槽と
が併設されたことを特徴とするアクアウェルラウンドステーション。
【請求項２】
第一のプール槽の水温は３３℃〜３５℃であり、
第二のプール槽の水温は３７℃〜３９℃である
ことを特徴とする請求項１に記載のアクアウェルラウンドステーション。
【請求項３】
第二のプール槽のコーナー部には、車椅子ユーザが入退水する際の昇降を行う為の水中リフトが備えられた
ことを特徴とする請求項１乃至請求項２の何れかに記載のアクアウェルラウンドステーション。
【考案の詳細な説明】
【技術分野】
【０００１】
本考案は、１つのプール施設内で、所望の水中運動や水中リラクゼーションを選択的に且つ利便性豊かに行うことが出来るアクアウェルラウンドステーションに関する。
【背景技術】
【０００２】
従来、高齢者や障害者などが無理なく運動を行う為の水中エクササイズ機能を備えたプール施設が知られている。
【０００３】
しかしそれらは、バランスのとれた訓練を行う為に必要な各種運動器具が纏めて備わっていない小規模施設であったり、各種運動器具は備わっているものの、大型プールが複数連なった施設等、移動に手間がかかる大規模施設であったりした。
【０００４】
また、運動を目的とした水中エクササイズを行う際にも、リラクゼーションを目的とした水中エクササイズを行う際にも、同一の槽（同一の水温）内にて行うものであった。
【考案の開示】
【考案が解決しようとする課題】
【０００５】
そこで、本考案の目的は、運動及びリラクゼーションを行うに当たり、バランスのとれた水中エクササイズが実施可能に秩序良くレイアウトされたプール施設であって、運動を行う際の水温を不感温度に設定し、リラクゼーションを行う際の水温を前記不感温度より高く設定したアクアウェルラウンドステーションを得ることにある。
【課題を解決するための手段】
【０００６】
本考案のアクアウェルラウンドステーションは、所望の水中エクササイズを実施する為のプール施設であって、運動エリアを備え、水温が不感温度に設定された第一のプール槽と、リラクゼーションエリアを備え、水温が前記不感温度より高く設定された第二のプール槽とが併設されたことを特徴とする。
【考案の効果】
【０００７】
本考案のアクアウェルラウンドステーションにおいては、不感温度、即ち、体温よりやや低く、熱くも冷たくも感じない心地よい水温にて、運動を行うことが可能となり、運動による体内温度の過度な上昇を抑制することが出来る。また、前記不感温度より高い温度、即ち、体温よりやや高く、延いては、血流促進効果等をもたらす水温にて、例えば、運動後のリラクゼーションを行うことが可能となり、心身の充実化が図れる。
【考案を実施するための最良の形態】
【０００８】
本考案の一実施形態について、図１を用いて説明する。
【０００９】
図１は本考案にかかるアクアウェルラウンドステーションのレイアウト図である。尚、本考案に係るアクアウェルラウンドステーションとは、予めプログラム設計された所望のエクササイズエリアを一体的に備えたプール施設のことをいう。
【００１０】
図１において、１はアクアウェルラウンドステーションであり、第一のプール槽２、第二のプール槽３を併設してなる。
【００１１】
即ち、アクアウェルラウンドステーション１は、ユーザが、第一のプール槽２及び第二のプール槽３へ入退水する為の出入り口４を備え、第一のプール槽２と第二のプール槽３にそれぞれ貯水された水が干渉しないように、隔壁５により仕切られている。
【００１２】
第一のプール槽２は、トラック６ａにより構成されたウォーキングエリア６、所望の運動器具７ａが設置されたトレーニングエリア７から構成されている。
【００１３】
本実施形態では、ウォーキングエリア６には、図中矢印で示された一方向に流路を形成するための噴水孔（図示せず）が備えられ、ユーザは、当該流路に沿って、水中ウォーキングを行う。また、トラック６ａ上には足ツボを押圧する為の突起群６ｂが備えられ、ユーザは、水中ウォーキングを行うと共に、足ツボを刺激することによる健康増進効果を得る。
【００１４】
一方、本実施形態では、トレーニングエリア７には、筋肉増強、脂肪燃焼等を図る為に設計された４種の運動器具が備えられている。これら４種の運動器具は、筋肉増強、脂肪燃焼等に適した運動手順となるように工夫された並びで設置されている。
【００１５】
そして、第一のプール槽２は、水温が不感温度に設定されており、好ましくは、本実施形態の通り、３３℃〜３５℃に保たれるように温度制御されている。
【００１６】
第二のプール槽３は、ジェット噴流を得るジェットバスエリア３ａ、腰掛け状態にて入浴を行う座湯エリア３ｂ、寝そべった状態にて入浴を行うフローティングエリア３ｃから構成されている。
【００１７】
また、第二のプール槽３のコーナー部には、車椅子ユーザが入退水する際の昇降を行う為の水中リフト８が設置されている。
【００１８】
そして、第二のプール槽３は、水温が第一のプール槽２の水温より高く設定されており、好ましくは、本実施形態の通り、３７℃〜３９℃に保たれるように温度制御されている。
【００１９】
以上に説明した本実施形態におけるアクアウェルラウンドステーション１では、運動を行う為の第一のプール槽２の水温を不感温度、即ち、体温よりやや低く、熱くも冷たくも感じない心地よい水温とすることにより、運動による体内温度の過度な上昇を抑制することが出来る。従い、ユーザにとって、快適な運動と健康増進が実現出来る。また、リラクゼーションを行う為の第二のプール槽３の水温を第一のプール槽２の水温より高い温度、即ち、体温よりやや高く、延いては、血流促進効果等をもたらす水温とすることにより、例えば、第一のプール槽２で運動した後、併設された第二のプール槽３に出入り口４を通り、利便性良く移動し、運動後のリラクゼーションを行うことが可能となり、心身の充実化が図れる。
【００２０】
また、第一のプール槽２は運動を行うことを目的とし、第二のプール槽３はリラクゼーションを行うことを目的としている。そして、一利用形態としては、上述の通り、第一のプール槽２で運動を行った後に、第二のプール槽３に移動し、リラクゼーションを行うことが想定される。しかし、言うまでもなく、どちらか一方のみを利用する形態でも良い。例えば、車椅子ユーザ等においては、リラクゼーションのみを行うことが想定される。
【００２１】
そこで、本実施形態では、第二のプール槽３のコーナー部に水中リフト８を設けることにより、車椅子ユーザ等の入退水を容易とし、ユーザフレンドリーを実現している。
【００２２】
以上に説明した通り、本考案の要旨は、運動を行う為のプール槽とリラクゼーションを行う為のプール槽を併設させ、且つ、運動を行う為のプール槽の水温を不感温度に設定し、リラクゼーションを行う為のプール槽の水温を前記不感温度より高く設定したことにある。従って、本要旨を要した中においては、適宜設計変更可能である。例えば、出入り口、第一のプール槽、第二のプール槽のレイアウト、第一のプール槽に設置されるべき運動器具の種類や配置、ウォーキングエリアのトラック配置、第二のプール槽に備えられたリラクゼーションエリアの種類や配置などは本実施の形態に限られず、利用形態に応じ、適宜定めれば良い。
【００２３】
また、水中リフトを第一のプール槽のコーナー部にも設けた構成も成り立つことは言うまでもない。
【図面の簡単な説明】
【００２４】
【図１】本考案一実施形態にかかるアクアウェルラウンドステーションのレイアウト図である。
【符号の説明】
【００２５】
１  アクアウェルラウンドステーション。
２  第一のプール槽
３  第二のプール槽
３ａ、３ｂ、３ｃ  リラクゼーションエリア
６、７  運動エリア
８  水中リフト
【図１】
0003131753.tif 000003
【手続補正書】
【提出日】平成19年3月1日(2007.3.1)
【手続補正１】
【補正対象書類名】実用新案登録請求の範囲
【補正対象項目名】請求項１
【補正方法】変更
【補正の内容】
【請求項１】
予めプログラム設計された所望のエクササイズエリアを一体的に備えたプール施設であるアクアウェルラウンドステーションであって、
水中ウォーキングを行うためのトラックにより構成されたウォーキングエリア、筋肉増強や脂肪燃焼を図るために設計された所望の運動器具が設置されたトレーニングエリアが選択的に備えられた運動エリアが槽内に形成され、且つ、槽内の水温が不感温度に設定された第一のプール槽と、
前記第一のプール槽と併設してなり、ジェット噴流を得るジェットバスエリア、腰掛け状態にて入浴を行う座湯エリア、寝そべった状態にて入浴を行うフローティングエリアが選択的に備えられたリラクゼーションエリアが槽内に形成され、且つ、槽内の水温が前記不感温度より高く設定された第二のプール槽と、
前記第一のプール槽と前記第二のプール槽を仕切るための隔壁と、
前記第一のプール槽及び前記第二のプール槽へ入退水するための共通の出入り口と
を備え、
前記第一のプール槽と前記第二のプール槽との間は、前記出入り口を介し移動自在である
ことを特徴とするアクアウェルラウンドステーション。